(57)【要約】【課題】組付作業が簡単で、美観に優れた階段用巾木を提供する。【解決手段】本発明の階段用巾木５において、縦巾木５は、縦巾木前部品５ａと、前部品５ａに対し独立する縦巾木後部品５ｂと、を備える。縦巾木前部品５ａは、上端部が段板２の先端面に対応して配置される。縦巾木後部品５ｂは、上端が見返し部２７に対応して配置された状態で、縦巾木前部品５ａの後部表面に、後方にスライド自在に配置されるとともに、そのスライドによって、縦巾木後部品５ｂの後端縁が蹴込板３に接触可能に構成されている。【選択図】図６
2013130020.tif 000002
【特許請求の範囲】
【請求項１】
段板および蹴込板が壁面に沿った状態で設けられるとともに、段板の下面側における蹴込板の前側に見返し部が設けられた階段における壁面と段板および蹴込板との間の入隅部に設けられる階段用巾木であって、
前記入隅部のうち、段板の上面に沿う横入隅部に設けられる横巾木と、段板の先端面から蹴込板の前面にかけての縦入隅部に設けられる縦巾木と、を備え、
前記縦巾木は、縦巾木前部品と、その縦巾木前部品に対し独立する縦巾木後部品と、を備え、
前記縦巾木前部品は、裏面が壁面に接触し、かつ上端部が段板の先端面に対応して配置され、
前記縦巾木後部品は、裏面が壁面に接触し、かつ上端が見返し部に対応して配置された状態で、前記縦巾木前部品の後部表面に、後方にスライド自在に配置されるとともに、そのスライドによって、前記縦巾木後部品の後端縁が前記蹴込板に接触可能に構成されていることを特徴とする階段用巾木。
【請求項２】
前記縦巾木前部品の後部における表面側に、後方に開放する後部切欠部が設けられ、
その後部切欠部内に前記縦巾木後部品が配置されている請求項１に記載の階段用巾木。
【請求項３】
前記後部切欠部の深さが、前記縦巾木後部品の厚みと同じ寸法に設定されている請求項２に記載の階段用巾木。
【請求項４】
前記横巾木および前記縦巾木前部品の対応し合う端部が長さ方向に対し斜めに切断されて、互いの切り口が接合するように留め接ぎされ、
前記横巾木の裏面側に、前記切り口において開放する横巾木側接続具取付溝が形成されるとともに、
前記縦巾木前部品の裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定されている請求項１〜３のいずれか１項に記載の階段用巾木。
【請求項５】
前記縦巾木後部品の後部裏面側に支持凸部が設けられ、その支持凸部の先端が壁面に接触可能に構成されている請求項１〜４のいずれか１項に記載の階段用巾木。
【請求項６】
段板および蹴込板が壁面に沿った状態で設けられるとともに、段板の下面側における蹴込板の前側に見返し部が設けられた階段における壁面と段板および蹴込板との間の入隅部のうち、段板の先端面から蹴込板の前面にかけての縦入隅部に設けられる階段用縦巾木であって、
縦巾木前部品と、
その縦巾木前部品に対し独立する縦巾木後部品と、を備え、
前記縦巾木前部品は、裏面が壁面に接触し、かつ上端部が段板の先端面に対応して配置され、
前記縦巾木後部品は、裏面が壁面に接触し、かつ上端が見返し部に対応して配置された状態で、前記縦巾木前部品の後部表面に、後方にスライド自在に配置されるとともに、そのスライドによって、前記縦巾木後部品の後端縁が前記蹴込板に接触可能に構成されていることを特徴とする階段用縦巾木。
【発明の詳細な説明】
【技術分野】
【０００１】
この発明は、一般家屋のひな壇階段等の屋内階段に適用される階段用巾木および縦巾木に関する。
【背景技術】
【０００２】
一般家屋の木質製屋内階段において、ひな壇階段と称されるものは、段板や蹴込板の両側端面が屋内壁面に沿わせた状態に組み立てられる。このため通常、屋内壁面と、段板および蹴込板との間の入隅部には巾木が取り付けられる。
【０００３】
この階段用の巾木は、段板の上面に沿って配置される横巾木と、段板先端面から蹴込板前面にかけて配置される縦巾木とを備えている。
【０００４】
一方、階段側の段板の裏面における蹴込板からの突出寸法（見返し寸法）は、階段の設置スペースや形状等の設置条件によって異なっている。
【０００５】
そこで特許文献１〜３に示す階段用巾木の縦巾木は、段板先端面から下側の段板上面に沿って配置される前部品と、その前部品における蹴込板に対応する位置に、後方にスライド自在に設けられた後部品とを備え、見返し寸法に合わせて、前部品に対し後部品を後方にスライドさせて蹴込板に接触させる。これにより、前部品と蹴込板との間を後部品によって隙間なくカバーして、良好な美観を確保するようにしている。
【先行技術文献】
【特許文献】
【０００６】
【特許文献１】特開平９−２２１９０６号
【特許文献２】特開２００８−２９１５３８号
【特許文献３】特開２０１０−２８１０７７号
【発明の概要】
【発明が解決しようとする課題】
【０００７】
しかしながら、上記特許文献１〜３に示す従来の階段用巾木においては、縦巾木の前部品は、後部品に対し、非壁面側（表面側）に配置されているため、階段前方から縦巾木を覗き込んだ際に、縦巾木前部品の非壁面側のほぼ全域が露出されている。このため、縦巾木前部品を釘等で固定してしまうと、釘頭が露呈し、美観上好ましくない。従って、縦巾木前部品を、釘等を用いずに、接着剤等を用いて施工することになってしまう。
【０００８】
このように特許文献１〜３に示す従来の階段用巾木は、縦巾木前部品の固定方法が制約されてしまい、現場の状況等に合わせて、適切な固定方法を選択できない場合があり、組付作業が困難になるという課題があった。
【０００９】
この発明は、上記の課題に鑑みてなされたものであり、良好な美観を得ることができる上さらに、組付作業を簡単に行うことができる階段用巾木および縦巾木を提供することを目的とする。
【課題を解決するための手段】
【００１０】
上記課題を解決するため、本発明は、以下の手段を備えるものである。
【００１１】
［１］段板および蹴込板が壁面に沿った状態で設けられるとともに、段板の下面側における蹴込板の前側に見返し部が設けられた階段における壁面と段板および蹴込板との間の入隅部に設けられる階段用巾木であって、
前記入隅部のうち、段板の上面に沿う横入隅部に設けられる横巾木と、段板の先端面から蹴込板の前面にかけての縦入隅部に設けられる縦巾木と、を備え、
前記縦巾木は、縦巾木前部品と、その縦巾木前部品に対し独立する縦巾木後部品と、を備え、
前記縦巾木前部品は、裏面が壁面に接触し、かつ上端部が段板の先端面に対応して配置され、
前記縦巾木後部品は、裏面が壁面に接触し、かつ上端が見返し部に対応して配置された状態で、前記縦巾木前部品の後部表面に、後方にスライド自在に配置されるとともに、そのスライドによって、前記縦巾木後部品の後端縁が前記蹴込板に接触可能に構成されていることを特徴とする階段用巾木。
【００１２】
［２］前記縦巾木前部品の後部における表面側に、後方に開放する後部切欠部が設けられ、
その後部切欠部内に前記縦巾木後部品が配置されている前項１に記載の階段用巾木。
【００１３】
［３］前記後部切欠部の深さが、前記縦巾木後部品の厚みと同じ寸法に設定されている前項２に記載の階段用巾木。
【００１４】
［４］前記横巾木および前記縦巾木前部品の対応し合う端部が長さ方向に対し斜めに切断されて、互いの切り口が接合するように留め接ぎされ、
前記横巾木の裏面側に、前記切り口において開放する横巾木側接続具取付溝が形成されるとともに、
前記縦巾木前部品の裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定されている前項１〜３のいずれか１項に記載の階段用巾木。
【００１５】
［５］前記縦巾木後部品の後部裏面側に支持凸部が設けられ、その支持凸部の先端が壁面に接触可能に構成されている前項１〜４のいずれか１項に記載の階段用巾木。
【００１６】
［６］段板および蹴込板が壁面に沿った状態で設けられるとともに、段板の下面側における蹴込板の前側に見返し部が設けられた階段における壁面と段板および蹴込板との間の入隅部のうち、段板の先端面から蹴込板の前面にかけての縦入隅部に設けられる階段用縦巾木であって、
縦巾木前部品と、
その縦巾木前部品に対し独立する縦巾木後部品と、を備え、
前記縦巾木前部品は、裏面が壁面に接触し、かつ上端部が段板の先端面に対応して配置され、
前記縦巾木後部品は、裏面が壁面に接触し、かつ上端が見返し部に対応して配置された状態で、前記縦巾木前部品の後部表面に、後方にスライド自在に配置されるとともに、そのスライドによって、前記縦巾木後部品の後端縁が前記蹴込板に接触可能に構成されていることを特徴とする階段用縦巾木。
【発明の効果】
【００１７】
発明［１］の階段用巾木によれば、縦巾木後部品を縦巾木前部品に対しスライドさせて蹴込板に接触させることによって、蹴込板前面側を隙間なく覆うことができるため、良好な美観を得ることができる。さらに、縦巾木前部品の表面側に縦巾木後部品を配置しているため、縦巾木前部品を釘止めした際に、釘頭を縦巾木後部品によって隠蔽することができる。このため、縦巾木前部品５ａを釘等の固定手段や、接着剤等の貼着手段のいずれでも不具合なく固定することができる。従って、現場状況等に応じて適切な固定方法を適宜選択できて、組立作業を簡単かつ正確に行うことができる。
【００１８】
発明［２］の階段用巾木によれば、縦巾木前部品に形成した後部切欠部内に縦巾木後部品を配置しているため、後部品を収まり良く配置でき、美観を一層向上させることができる。
【００１９】
発明［３］の階段用巾木によれば、縦巾木前部品の表面と、縦巾木後部品の表面とを面一に配置できるため、前後両部品に統一感が得られて、美観をより確実に向上させることができる。
【００２０】
発明［４］の階段用巾木によれば、縦巾木前部品および横巾木の対応し合う端部同士が接続具を介して強固に接続されるため、両部品の各切り口の加工精度や、巾木、段板および蹴込板の取付精度等が多少悪くなったとしても、接続し合う互いの切り口全域を隙間なく接合することができ、良好な美観をより一層確実に得ることができる。
【００２１】
発明［５］の階段用巾木によれば、縦巾木後部品の支持凸部を壁面に接触させて固定できるため、縦巾木後部品をより一層安定した状態で固定することができる。
【００２２】
発明［６］の階段用縦巾木によれば、上記と同様に同様の効果を得ることができる。
【図面の簡単な説明】
【００２３】
【図１】図１はこの発明の実施形態である階段用巾木が適用された階段を示す斜視図である。
【図２】図２は実施形態の階段において巾木の一部を取り外した状態で示す斜視図である。
【図３】図３は実施形態の階段を示す側面断面図である。
【図４】図４は実施形態の階段に適用された横巾木および縦巾木を接続した状態で裏面側から見た斜視図である。
【図５】図５は実施形態の横巾木および縦巾木を分解した状態で裏面側から見た斜視図である。
【図６】図６は実施形態の階段における縦巾木周辺を拡大して示す水平断面図である。
【図７】図７は実施形態の縦巾木を示す側面図である。
【図８】図８は実施形態の縦巾木を示す平面図である。
【図９】図９は実施形態の縦巾木前部品を示す側面図である。
【図１０】図１０は実施形態の縦巾木前部品を示す平面図である。
【図１１】図１１は実施形態の縦巾木後部品を示す側面図である。
【図１２】図１２は実施形態の縦巾木後部品を示す平面図である。
【図１３】図１３は実施形態の階段に適用された接続具を示す図であって、同図（ａ）は表面図、同図（ｂ）は一側端面図、同図（ｃ）は他側端面図である。
【図１４】図１４は実施形態に階段における巾木接続部を示す断面図である。
【図１５】図１５は実施形態の階段における巾木接続部を分解して示す断面図である。
【図１６】図１６は実施形態の縦巾木を廻り階段に適用した場合の縦巾木周辺を拡大して示す水平断面図である。
【図１７】図１７は実施形態の縦巾木を廻り階段に適用した場合の縦巾木周辺を拡大して示す水平断面図である。
【図１８】図１８はこの発明の第１変形例の縦巾木後部品を示す水平断面図である。
【図１９】図１９はこの発明の第２変形例の縦巾木後部品を示す水平断面図である。
【図２０】図２０はこの発明の第３変形例である階段の縦巾木周辺を拡大して示す水平断面図である。
【発明を実施するための形態】
【００２４】
図１〜３はこの発明の実施形態である階段用巾木が適用された階段を示す図である。これらの図に示すように、本実施形態の階段は、室内の壁面（屋内壁面）１および支持部材１５間において、斜め方向に所定の間隔おきに水平に配置される複数の段板２と、段板２の各間において垂直に配置される複数の蹴込板３と、屋内壁面１と段板２および蹴込板３との間の入隅部に沿って設けられる巾木４，５とを基本的な構成要素として備えている。
【００２５】
なお、本明細書において、階段という場合、段板２および蹴込板３に加えて、これらを支持する屋内壁面１および支持部材１５や、巾木４，５も含むものである。さらに階段本体と言う場合には、段板２と、蹴込板３とで構成される階段の一部分を示し、屋内壁面１および支持部材１５や、巾木４，５を含まないものである。
【００２６】
各蹴込板３は、その上側の段板２における先端（前端）位置から後方に間隔をおいて配置されて、各段板２の先端部によって段鼻２６が形成されている。さらに段鼻２６の下面側、つまり段板下面側における蹴込板３よりも前方の部分に見返し部２７（図３参照）が設けられる。
【００２７】
各段板２の一端側は、その端面が屋内壁面１に対向した状態で図示しない支持部材によって支持されるとともに、他端側は、その端面が露出された状態で支持部材１５に支持されている。
【００２８】
さらに各蹴込板３の一方側端面は、屋内壁面１に対向するように配置されるとともに、他方側端面は、露出されるように配置される。
【００２９】
また各段板２および各蹴込板３の露出側端面（他方側端面）は、化粧板４０，５０（図１参照）によって被覆されている。
【００３０】
図示は省略するが、本実施形態においては、階段における屋内壁面１とは反対側の開放側端部（他方側端部）には、手摺が取り付けられる。
【００３１】
ここで本実施形態においては、見返し部２７の前後方向寸法が、見返し寸法Ｌ２（図３参照）に相当する。この見返し寸法Ｌ２は既述したように、階段の設置スペースや形状等の設置条件によって異なるものである。
【００３２】
一方、屋内壁面１と、段板２および蹴込板３との間の入隅部に沿って設けられる巾木は、横巾木４と、縦巾木５とを備えている。
【００３３】
なお本明細書では、横巾木４および縦巾木５における屋内壁面１に対向（接触）する側を壁面側または裏面側とし、その反対側を非壁面側または表面側としている。
【００３４】
図１〜５に示すように、横巾木４は、入隅部のうち、段板２の上面に沿って段板２の後端から段鼻２６の近傍にかけての横入隅部に配置されている。
【００３５】
縦巾木５は、入隅部のうち、蹴込板３の前面に沿って、段鼻２６の周辺から蹴込板３の下端にかけての縦入隅部に配置されている。
【００３６】
横巾木４は、その前端および後端が、横巾木４の長さ方向に対し斜め４５°にそれぞれ留め切り（切断）されて、階段に組み付けた状態において、前端切り口４１が斜め下向きに配置されるとともに、後端切り口４２が斜め上向きに配置されている。
【００３７】
横巾木４の壁面側（裏面側）における巾方向の中間部には、横巾木４の長さ方向に連続する横巾木側接続具取付溝４３が形成されている。この取付溝４３の前端は、前端切り口４１において前方に開放されるとともに、後端は、後端切り口４２において後方に開放されている。
【００３８】
図４〜１０に示すように、縦巾木５は、縦巾木前部品５ａと、その前部品５ａに対し独立している縦巾木後部品５ｂとを備えている。
【００３９】
縦巾木後部品５ｂは、略帯板状の形状を有している。この縦巾木後部品５ｂの高さ寸法は、上下に隣合う段板２，２間の垂直寸法、つまり下側の段板２の上面から上側の段板２の下面までの長さに対応して形成されている。
【００４０】
なお本実施形態において、最下端位置に配置される縦巾木後部品５ｂ、つまり階下のフロアＦと、１段目の段板２との間に配置される縦巾木後部品５ｂの高さ寸法は、フロアＦの表面から１段目の段板下面までの長さに対応して形成される。
【００４１】
図６，１２等に示すように、縦巾木後部品５ｂにおける後端部は、非壁面側のコーナー部が、壁面側のコーナー部よりも後方に位置するように斜め４５°で直線状にカットされることにより、コーナー欠如部（後側コーナー欠如部）５５ｂが形成されている。このコーナー欠如部５５ｂは、後に説明するように、本発明の縦巾木５を廻り階段に適用した際に、コーナー欠如部５５ｂに蹴込板３を配置することにより、良好な収まり具合を得るためのものである。
【００４２】
この縦巾木後部品５ｂは、その表面全域と、裏面全域とが平行に配置され、前面が表裏両面に対し直角に配置されている。従って縦巾木後部品５ｂは、水平断面形状が台形であり、四角形に形成されている。
【００４３】
この縦巾木後部品５ｂは、非壁面側の面（表面）と、前端面とが化粧が施された化粧面として構成されるとともに、壁面側の面（裏面）と、後端面とが、化粧が施されない非化粧面として構成されている。なお場合によっては、縦はばぎ後部品５ｂの前端面を非化粧面としても良い。
【００４４】
図４〜１０に示すように、縦巾木前部品５ａは、略帯板状の形状を有している。この縦巾木前部品５ａの後部には、その非壁面側（表面側）が切り欠かれることにより、後方および表面側に開放した後部切欠部５５ａが形成されている。
【００４５】
この後部切欠部５５ａには、上記縦巾木後部品５ｂを前後方向にスライド自在に配置できるようになっている。
【００４６】
さらに後部切欠部５５ａの深さ寸法（巾木厚み方向の寸法）は、縦巾木後部品５ｂの厚み寸法に対応して形成されており、後部切欠部５５ａに後部品５ｂを配置した際には、後部品５ｂの表面が、縦巾木前部品５ａの表面に対し同一平面内に配置されるようになっている。
【００４７】
図９に示すように縦巾木前部品５ａの後部上端には、後部切欠部５５ａに相当する部分が除去されることにより、段鼻収納用切欠凹部５６が形成されている。
【００４８】
縦巾木前部品５ａは、表面側と、後部切欠部５５ａの内面と、前端面とが、化粧が施された化粧面として構成されるとともに、壁面側の面（裏面）と後端面とが、化粧が施されない非化粧面として構成されている。なお場合によっては、後部切欠部５５ａの内面を非化粧面としても良い。
【００４９】
また縦巾木前部品５ａの上端部と、下端部における後部切欠部５５ａを除く部分とが、縦巾木前部品５ａの長さ方向に対し斜め４５°にそれぞれ留め切り（切断）されて、階段に組み付けた状態において、上端切り口５１が、斜め後方に向けて配置されるとともに、下端切り口５２が、斜め前方に向けて配置されている。
【００５０】
この縦巾木前部品５ａにおける後部切欠部５５ａを除く部分の巾寸法（前後方向の長さ寸法）は、上記横巾木４の巾寸法（上下方向の長さ寸法）に対し同一に設定されており、縦巾木前部品５ａの切り口５１，５２と、横巾木４の切り口４１，４２とを留め接ぎできるようになっている。
【００５１】
縦巾木前部品５ａの壁面側の面（裏面）における巾方向の中間部には、縦巾木前部品５ａの長さ方向に連続する縦巾木側接続具取付溝５３が形成されている。この取付溝５３の上端は、上端切り口５１において上方に開放されるとともに、下端は、下端切り口５２において下方に開放されている。
【００５２】
縦巾木側接続具取付溝５３の溝巾は、上記横巾木側接続具取付溝４３の溝巾と同じ大きさ（長さ）に形成されている。さらに横巾木４の切り口４１，４２を、縦巾木前部品５ａの切り口５１，５２に留め接ぎした際には、横巾木４の接続具取付溝４３と、縦巾木前部品５ａの接続具取付溝５３とが適合するようになっている。
【００５３】
ここで本実施形態において、横巾木５および縦巾木前部品５ａは、接続具取付溝４３，５３が形成されない部分で、板厚が５ｍｍ〜１５ｍｍに設定するのが好ましい。すなわちこの板厚が薄過ぎる場合には、割れたり、欠損したりするおそれがある。逆に厚過ぎる場合には、階段に取り付けた際に見栄えが悪くなってしまう。
【００５４】
さらに横巾木４の幅、縦巾木前部品５ａにおける後部切欠部５５ａを含まない部分の巾は、見栄えを考慮すると、３０ｍｍ〜７０ｍｍに設定するのが良い。
【００５５】
また縦巾木後部品５ｂの板厚は、縦巾木前部品５ａおよび後部品５ｂの強度等を考慮すると、３ｍｍ〜９ｍｍに設定するのが良い。
【００５６】
また、本実施形態の巾木４，５は、木質製であるが、合成樹脂等の他の材料によって構成しても良い。巾木４，５を合成樹脂で形成する場合には、後部切欠部５５ａ、コーナー欠如部５５ｂ、切り口４１，４２，５１，５２は、必ずしも実際に切断した部分で構成する必要はなく、型成形等によって成形された成形面によって構成するようにしても良い。
【００５７】
また巾木４，５の化粧面における化粧方法としては、突板や樹脂シートを貼り付けたり、巾木４，５が無垢材の場合には、着色する等の方法が好適に用いられる。
【００５８】
言うまでもなく、巾木４，５を階段に取り付けた状態において表出されない面にも、化粧を施すようにしても良い。
【００５９】
また横巾木４および縦巾木前部品５ａの接続具取付溝４３，５３の深さは、２ｍｍ〜５ｍｍに設定するのが良い。すなわち、この深さが深過ぎる場合には、割れてしまうおそれがある。逆に深さが浅過ぎる場合には、後述する接続具６を確実に収容できず、横巾木４および縦巾木前部品５ａの施工が困難になるおそれがある。さらに接続具取付溝４３，５３の巾は、１０ｍｍ〜５０ｍｍに設定するのが良い。この巾が狭過ぎたり、太過ぎたりする場合には、接続具６を精度良く取り付けることが困難になるおそれがある。いずれにしても、接続具取付溝４３，５３の深さや巾は、接続具６の厚さや巾に応じて適宜設定するのが良い。
【００６０】
図３〜５に示すように本実施形態においては、接合し合う横巾木４および縦巾木前部品５ａ間が、接続具６によって固定されている。
【００６１】
接続具６は、例えば硬質合成樹脂の一体成形品によって構成されている。なお接続具６は、後述するように屋内壁面１に沿って取り付けられるものであり、本明細書では、上記の巾木４，５等と同様に、壁面側の面を裏面とし、その非壁面側の面を表面としている。
【００６２】
図１３〜１５に示すように、接続具６は表面側から見た状態（図１３（ａ）参照）で、Ｌ字型の形状を有しており、互いに直角に配置される２つの嵌合部６１，６１が設けられている。この接続具６における両嵌合部６１，６１は、仮想の直線Ａを対称軸とする線対称形状（反射対象形状）の関係にあり、実質的に同じ形状（構成）を有している。
【００６３】
本実施形態においては、２つの嵌合部６１，６１のうち、一方が一側部を構成し、他方が他側部を構成するものである。
【００６４】
接続具６の各嵌合部６１，６１の巾サイズは、横巾木４および縦巾木前部品５ａの接続具取付溝４３，５３の溝巾とほぼ同じ大きさに形成されている。
【００６５】
接続具６の表面側には、各嵌合部６１，６１の両側縁部を除く領域が凹陥形成されて、座ぐり凹部６３が形成される。
【００６６】
さらに接続具６における各嵌合部６１，６１の両側端面には、突筋状の抜け止め片６４が形成されている。この抜け止め片６４は、両側端縁に沿って連続し、かつ並列配置に複数形成されている。
【００６７】
なお、本実施形態の接続具６は、合成樹脂製であるが、金属や木質材等の他の材料によって構成しても良い。
【００６８】
また接続具６の厚さは、座ぐり凹部６３が形成されない部分で、２ｍｍ〜５ｍｍに設定するのが好ましい。この厚さが薄過ぎる場合には、割れてしまうおそれがある。また厚過ぎる場合には、横巾木４および縦巾木前部品５ａの接続具取付溝４３，５３の溝深さを深くする必要があり、横巾木４および縦巾木前部品５ａが割れてしまうおそれがある。
【００６９】
接続具６の各嵌合部６１，６１の巾は、１５ｍｍ〜５０ｍｍに設定するのが良い。この巾が狭過ぎる場合には、横巾木４および縦巾木前部品５ａ間の固定を十分に行えない場合がある。逆に太過ぎる場合には、横巾木４および縦巾木前部品５ａへの取付作業等が困難になるおそれがある。
【００７０】
接続具６の各嵌合部６１，６１における外側の長さＢは、５０ｍｍ〜１００ｍｍに設定するのが良い。すなわち、この長さが短過ぎる場合には、横巾木４および縦巾木前部品５ａ間の固定を十分に行えない場合がある。逆に長過ぎる場合には、横巾木４および縦巾木前部品５ａへの嵌合作業等が困難になるおそれがある。
【００７１】
また接続具６の座ぐり凹部６３の深さは、１ｍｍ〜３ｍｍに設定するのが良い。この深さが浅過ぎる場合には、後述するようにこの座ぐり凹部６３にタッピングビス６５をねじ込んだ際に、ビス頭部が、接続具６の表面から飛び出してしまい、接続具６を巾木４，５に取り付けることができないおそれがある。逆に凹部６３が深過ぎる場合には、接続具６が割れてしまうおそれがある。
【００７２】
言うまでもなく、本実施形態において、接続具６における上記の厚さ、巾、長さ、凹部深さ等は、用いられる巾木４および縦巾木前部品５ａのサイズに応じて適宜変更するのが良い。
【００７３】
なお、図１４，１５において、括弧抜きの符号と括弧付きの符号とが並記されている部分において、括弧抜きの符号は、縦巾木５の前部品５ａにおける接続具６との接続部周辺の断面図を示し、括弧付きの符号は、横巾木４における接続具６との接続部周辺の断面図を示している。
【００７４】
本実施形態においては、巾木４，５を、接続具６を用いて、屋内壁面１と階段本体との間の入隅部に取り付ける場合、以下に示すように、巾木４，５を階段の上側から下側に向けて順次取り付けていくのが通例である。
【００７５】
なお、以下の説明では、横巾木４および縦巾木５のうち、最上段の位置に最初に横巾木４を取り付ける場合を例に挙げて説明する。
【００７６】
まず横巾木４を、対応する入隅部において屋内壁面１に固定する前に予め、横巾木４に接続具６を固定しておく。
【００７７】
すなわち横巾木４の接続具取付溝４３における前端部に、接続具６の一方側の嵌合部６１を嵌め込んで固定して、他方側の嵌合部６１を横巾木４の前端切り口４１から下方に突出するように配置しておく（図２参照）。このとき、接続具６の表面側（座ぐり凹部６３が形成される側）を、横巾木４の裏面側における接続具取付溝４３の底面に押し当てるようにして配置する。
【００７８】
この状態においては、接続具６の裏面が、横巾木４の裏面に対し同一平面内もしくは、少し内側（表面側）に配置されている。
【００７９】
さらにこの状態では、接続具６の一方側の嵌合部６１における両側端面の抜け止め片６４が、横巾木４の接続具取付溝４３における両側壁内面に食い込むように係合し、これにより横巾木４に対し簡単に外れることなく所定の強さで固定されている。なお、必要であれば、接着剤や両面テープ等の貼着手段を用いて、接続具６を横巾木４に固定するようにしても良い。
【００８０】
こうして前端に接続具６を固定した横巾木４を、屋内壁面１に取り付けて、横巾木４を最上段の段板２と、屋内壁面１との間の横入隅部に沿って取り付ける。
【００８１】
横巾木４の壁面１への固定方法は、特に限定されるものではないが、例えば、釘（フィニッシュネイル等）やねじ等の固定手段を単独で用いる方法や、接着剤や両面テープ等の貼着手段を用いる方法や、これらを併用する糊釘併用方法等を好適に採用することができる。
【００８２】
横巾木４を壁面１に固定した状態では、既述したように、接続具６の他方側の嵌合部６１が、横巾木４の前端切り口４１から下方に突出し、かつ屋内壁面１に沿って配置されている。
【００８３】
次に図２，３等に示すように、下方に突出した接続具６の嵌合部６１における座ぐり凹部６３の底壁に、タッピングビス６５等の固定手段を貫通させて屋内壁面１にねじ込む。これにより、接続具６を屋内壁面１に固定する。
【００８４】
ここで本実施形態においては、２つの部材を接続固定する際に、接着材、両面テープ、粘着剤等のように、接合面間に介在して接合するものを貼着手段と称している。さらに２つの部材を接続固定する際に、ねじ（ビス）、釘等ように、部材同士を機械的に固定するものを固定手段と称している。また貼着手段と固定手段との双方を含むものを固着手段と称している。
【００８５】
次に、縦巾木前部品５ａを取り付けるが、その前に予め、前部品５ａに接続具６を固定しておく。すなわち、縦巾木前部品５の接続具取付溝５３における下端部に、接続具６の一方側の嵌合部６１を嵌め込んで固定して、他方側の嵌合部６１を縦巾木前部品５ａの下端切り口５２から前方に突出するように配置しておく。このとき、接続具６の表面側（座ぐり凹部６３が形成される側）を、縦巾木前部品５ａの裏面側における接続具取付溝５３の底面に押し当てるようにして配置する。
【００８６】
この状態においては、上記と同様、接続具６の裏面が、縦巾木前部品５ａの裏面に対し同一平面内もしくは、少し内側（表面側）に配置されている。
【００８７】
さらにこの状態では、上記と同様、接続具６の一方側の嵌合部６１における両側端面の抜け止め片６４が、縦巾木前部品５ａの接続具取付溝５３における両側壁内面に係合することによって、縦巾木前部品５ａに対し簡単に外れることなく所定の強さで固定されている。なお必要であれば、接着剤や両面テープ等の貼着手段を用いて、接続具６を縦巾木前部品５ａに固定するようにしても良い。
【００８８】
こうして接続具６が取り付けられた縦巾木前部品５ａを、施工済の横巾木４の下側における縦巾木後部品５ｂの前側に組み付ける。すなわち縦巾木前部品５ａの接続具取付溝５３内にその上端切り口５１から、上記横巾木４の前端において下方突出状に配置された接続具６の嵌合部６１を挿入して、その嵌合部６１を縦巾木側接続具取付溝５３の上端部に嵌合し、縦巾木前部品５ａの上端切り口５１を横巾木４の前端切り口４１に隙間なく接触させる。このとき言うまでもなく、縦巾木前部品５ａの段鼻収納用切欠凹部５６内に、対応する段板２の段鼻２６を適合状態に収納しておく。これにより、縦巾木前部品５ａを、縦巾木後部品５ｂの前側において、上側の段板２の段鼻２６周辺から下側の段板２の上面にかけて取り付ける。
【００８９】
この縦巾木前部品５ａは、必要に応じて屋内壁面１に固定する。例えば、前部品５ａの後部切欠部５５ａ内に、フィニッシュネイル等の釘を打ち込んで屋内壁面１に固定する。なお縦巾木前部品５ａを固定する場合、固定手段を単独で用いる方法に限定されるものではなく、貼着手段を単独で用いる方法、これらを併用する糊釘併用方法等も採用することができる。
【００９０】
こうして縦巾木前部品５ａを屋内壁面１に固定した状態では、既述したように、接続具６の他方側の嵌合部６１が、縦巾木前部品５ａの下端切り口５２から前方に突出し、かつ屋内壁面１に沿って配置されている。
【００９１】
次に、図２，３に示すように、前方に突出した嵌合部６１における座ぐり凹部６３の底壁に、タッピングビス６５を貫通させて屋内壁面１にねじ込む。これにより、接続具６を屋内壁面１に固定する。
【００９２】
次に施工済の縦巾木前部品５ａにおける後部切欠部５５ａ内に縦巾木後部品５ｂを配置して、その後部品５ｂの上端を上側の段板２における見返し部２７に当接させるように配置するとともに、下端を下側の段板２の上面に当接させるように配置する。さらにその縦巾木後部品５ｂを後方にスライドさせて、後部品５ｂにおける後端縁を蹴込板３の表面に当接させる。この際、見返し寸法Ｌ２（図３，６参照）に応じてスライド量を調整することにより、見返し寸法Ｌ２が異なるあらゆる種類の階段に対し、縦巾木後部品５ｂによって蹴込板３の前面側に縦入隅部を確実に被覆することができる。
【００９３】
こうして縦巾木後部品５ｂを蹴込板３に当接させた状態で、縦巾木後部品５ｂを、例えば接着剤等の貼着手段を用いて縦巾木前部品５ａの後部切欠部５５ａに固定する。
【００９４】
ここで、縦巾木前部品５ａをその後部切欠部５５ａ内において釘等の固定手段で固定していた場合には、その釘頭が縦巾木後部品５ｂによって覆われて隠蔽される。従って、階段前方から覗き込んだ際に、釘頭が見えず、良好な美観を得ることができる。
【００９５】
なお本発明においては、縦巾木後部品５ｂの固定方法は、貼着手段で固定する方法だけに限られず、固定手段を用いる方法、糊釘併用で固定する方法も採用することができる。さらに場合によっては、釘を縦巾木後部品５ｂおよび前部品５ａに貫通させて屋内壁面１に打ち込むことにより、縦巾木前部品５ａおよび後部品５ｂを同時に固定するようにしても良い。
【００９６】
ところで、縦巾木後部品５ｂを釘等の固定手段で固定すると、縦巾木後部品５ｂの表面に釘頭が配置されて露呈するおそれはあるが、その釘頭の位置は、見返し部２７の下方となる。このため、見返し部２７によって釘頭を実質的に隠蔽でき、良好な美観を維持することができる。
【００９７】
その後、次に施工する横巾木４の接続具取付溝４３における前端部に、上記と同様に予め、接続具６の一方側の嵌合部６１を嵌め込んで固定し、他方側の嵌合部６１を横巾木４の前端切り口４１から下方に突出するように配置しておく。
【００９８】
こうして前端に接続具６を固定した横巾木４を、上記施工済の縦巾木前部品５ａの下端前方に取り付ける。このとき、横巾木４の接続具取付溝４３内に、その後端切り口４２から、上記縦巾木前部品５ａの下端において前方突出状に配置された接続具６の嵌合部６１を挿入して、その嵌合部６１を横巾木側接続具取付溝４３の後端部に嵌合し、横巾木４の後端切り口４２を縦巾木前部品５ａの下端切り口５２に隙間なく接触させる。これにより、横巾木４を、対応する段板２の上面に沿って、段板２および屋内壁面１間の横入隅部に沿って取り付ける。
【００９９】
なおこの横巾木４においても、上記と同様、必要に応じて、屋内壁面１に固定するものである。
【０１００】
以下同様にして、縦巾木５および横巾木４を上から順に交互に取り付けていき、階段本体の表面と屋内壁面１との間の入隅部全域に巾木４，５を配置する。これにより巾木４，５の取付作業が完了する。
【０１０１】
なお本発明において、巾木４，５の取付手順は、上記の手順に限られることなく、どのような手順で取り付けるようにしても良い。例えば下側から上方に向かって順次、巾木４，５を取り付けていくようにしても良いし、上下方向の中間位置から、上方または下方に向けて適宜、巾木４，５を取り付けるようにしても良い。
【０１０２】
さらに上記実施形態においては、１番目に横巾木４を施工する場合を例に挙げて説明したが、言うまでもなく、施工現場の状況に応じて、１番目に縦巾木５を施工する場合もある。
【０１０３】
また上記実施形態においては、横巾木４および縦巾木前部品５ａを壁面１に固定する前に、予め接続具６を取り付けるようにしているが、この接続具６の取付作業は、階段施工現場で行っても良いし、現場搬入前に工場等で予め行っておいても良い。さらに接続具６が取り付けられていない横巾木４や、縦巾木前部品５ａを壁面１に固定した後、その横巾木４や縦巾木前部品５ａの切り口から接続具６の一方側嵌合部６１を挿入することにより、後付けで、接続具６を横巾木４や、縦巾木前部品５ａに対し取り付けるようにしても良い。
【０１０４】
さらに横巾木４および縦巾木前部品５ａを１本ずつ現場搬入前に予め工場等で接続具６を介して組み付けておいても良い。この場合、横巾木４の前端に垂下するように縦巾木前部品５ａを組み付けておいても良いし、横巾木４の後端に立ち上がるように縦巾木前部品５ａを組み付けておいても良い。
【０１０５】
以上のように、本実施形態の階段によれば、段鼻部２６の突出寸法（見返し寸法Ｌ２）にかかわらず、縦巾木５を階段入隅部に沿って隙間なく適合させた状態に取り付けることができる。すなわち本実施形態においては、縦巾木５を、前後２つの部品５ａ、５ｂにより構成し、前部品５ａに対し後部品５ｂを前後方向にスライド自在に構成しているため、見返し寸法Ｌ２に合わせて後部品５ｂのスライド量を適宜調整することにより、前後両部品５ａ，５ｂを縦入隅部に沿って正確に適合させることができる。このため現場においては、面倒な裁断、採寸加工等を行う必要がなく、巾木４，５の長さ調整程度等の簡単な裁断加工を行うだけで確実に組み付けることができ、巾木組付作業を効率良くスムーズに行うことができる。
【０１０６】
さらに縦巾木５の前部品５ａおよび後部品５ｂを縦入隅部に沿って精度良く適合させることができるため、良好な美観を得ることができる。
【０１０７】
また本実施形態においては、縦巾木前部品５ａの表面側に設けた後部切欠部５５ａに縦巾木後部品５ｂを配置するものあるため、縦巾木前部品５ａをその後部切欠部５５ａにおいて釘止めしたとしても、釘頭を縦巾木後部品５ｂによって隠蔽することができる。このため、縦巾木前部品５ａを釘等の固定手段で固定することができる一方、言うまでもなく接着剤等の貼着手段によっても固定することができる。従って、縦巾木前部品５ａを、固定手段や貼着手段のいずれを用いても不具合なく固定することができ、固定方法の選択肢が多くなる。その結果、縦巾木前部品５ａを固定するに際して、現場状況等に応じて、適切な固定方法を適宜選択できて、その固定をスムーズに行うことができ、巾木の組立作業、ひいては階段の組立作業を簡単かつ正確に行うことができる。
【０１０８】
さらに縦巾木前部品５ａにおける後部切欠部５５ａのいずれの位置に釘を打ち込んだとしても、その釘を縦巾木後部品５ｂによって隠蔽することができる。このため、縦巾木前部品５ａを固定するに際し、釘打ち箇所にほとんど制約がなく、自由に釘を打ち込むことができ、より一層簡単に巾木４，５を組み付けることができる。
【０１０９】
また本実施形態においては、縦巾木前部品５ａに後部切欠部５５ａを形成して、その後部切欠部５５ａ内に縦巾木後部品５ｂを配置しているため、後部品５ｂを収まり良く配置でき、一層美観を向上させることができる。
【０１１０】
しかも本実施形態においては、後部切欠部５５ａの深さを、縦巾木後部品５ｂの厚みに対し同じ寸法に設定し、縦巾木前部品５ａの表面と、縦巾木後部品５ｂの表面とを面一に配置しているため、前後両部品５ａ，５ｂに統一感が得られて、より一層美観を向上させることができる。
【０１１１】
また本実施形態において、縦巾木後部品５ｂは、帯板状の木材を、その幅方向の両側縁を平面で切断するだけのもので、形状が非常にシンプルであるため、簡単に製造できて、コストも削減することができる。
【０１１２】
また、本実施形態の階段によれば、横巾木４および縦巾木前部品５ａの対応し合う端部、例えば横巾木４の前端部と、縦巾木前部品５ａの上端部とを接続具６を介して強固に接続できるため、横巾木４および縦巾木前部品５の各切り口４１，４２，５１，５２の加工精度や、巾木４，５、段板２、蹴込板３の取付精度が、許容範囲内で多少悪い場合であっても、横巾木４の切り口４１，４２の全域を、対応する縦巾木前部品５ａの切り口５１，５２の全域に隙間なく接合（留め接ぎ）することができ、良好な美観を確実に得ることができる。
【０１１３】
さらに本実施形態においては、接続具６の両嵌合部６１，６１における両側端面に抜け止め片６４を形成しているため、嵌合部６１，６１を横巾木４および縦巾木前部品５の接続具取付溝４３，５３に嵌め込んだ際に、抜け止め片６４が、接続具取付溝４３，５３の側壁に係合することにより、接続具６の接続具取付溝４３，５３からの抜け止めが図られる。つまり接続具６を接続具取付溝４３，５３に嵌め込むだけで簡単に、接続具６を横巾木４および縦巾木前部品５に対し固定することができる。このように接続具６の取付作業を簡単に行うことができ、ひいては巾木４，５の取付作業および階段施工作業を簡単に行うことができる。
【０１１４】
また本実施形態においては、接続具６の他方側嵌合部６１にタッピングビス６５をねじ込んで壁面１に固定するものであるため、接続具６を安定状態で強固に固定することができる。
【０１１５】
さらに本実施形態においては、接続具６の表面側に座ぐり凹部６３を形成し、その凹部６３にタッピングビス６５をねじ込むようにしているため、ビス６５の頭部が座ぐり凹部６３内に収容される。このため、接続具６のビス止め部に、横巾木４および縦巾木前部品５ａの端部を嵌め込んだ際に、ビス頭部が横巾木４および縦巾木前部品５ａに干渉する等の不具合を確実に防止することができる。
【０１１６】
また本実施形態においては、横巾木４および縦巾木前部品５ａの一端部に予め接続具６を取り付けてから、これらの部部材４，５ａを屋内壁面１に貼り付けるようにしているため、壁面１に取り付けられていないフリーな状態の横巾木４および縦巾木前部品５ａに対し、接続具６を取り付けることができる。このため、接続具６を横巾木４および縦巾木前部品５ａにほぼ制約なく取り付けることができ、接続具６を簡単に取り付けることができる。
【０１１７】
さらに本実施形態においては、多数の巾木４，５を上から順に下方に施工するとともに、施工済の上側（一方の）巾木に嵌合された接続具６の他方側嵌合部６１を、下側（他方の）巾木の対応端部に差し込んで固定しつつ、その下側巾木を対応の入隅部において壁面１に取り付けるようにしているため、接続具６の他方側嵌合部を、下側巾木の対応端部に差し込む作業を容易に行うことができる。
【０１１８】
すなわち仮に巾木４，５を下から順に上方へ施工する場合、例えば下側の巾木を縦巾木前部品５ａとし、上側の巾木を横巾木４としたとき、施工済の縦巾木前部品５ａの上端部に固定した接続具６の他方側嵌合部６１は、後方に突出するように配置されており、その後方突出状の他方側嵌合部６１に、後方から横巾木４の前端部を嵌め込むことになる。その場合、横巾木４の後端部が、蹴込板３等と干渉することによって、横巾木４を、縦巾木前部品５ａに固定された接続具６に嵌め込む作業が困難になるおそれがある。
【０１１９】
これに対し本実施形態においては、巾木４，５を上から順に施工するものであるため、例えば上側の縦巾木前部品５ａの下端部に、横巾木４を取り付ける場合、上側の縦巾木前部品５ａの下端部に固定した接続具６の他方側嵌合部６１は、前方に突出するように配置されており、その前方突出状の他方側嵌合部６１に、前方から横巾木４の後端部を嵌め込むことになる。この場合、横巾木４に対し干渉する部位が存在せず、横巾木４を、縦巾木前部品５に固定された接続具６に嵌め込む作業を容易に行うことができる。
【０１２０】
ところで、本実施形態の縦巾木５は、その後部品５ｂの裏面（壁面側の面）と後端面との間に、コーナー欠如部５５ｂを形成しているため、以下に詳述するように、廻り階段にも支障なく適用することができる。
【０１２１】
例えば図１６に示すように廻り階段には、屋内壁面１に対する、蹴込板３の表面（段板２の先端面）の水平角度θ１が、鋭角となる場合がある。このような鈍角の縦入隅部においては、縦巾木後部品５ｂのコーナー欠如部５５ｂの後端が蹴込板３の表面に当接する。
【０１２２】
ここで、縦巾木後部品５ｂにコーナー欠如部５５ｂが形成されず、後部品５ｂの後端面が表面に対し直角な平坦面に形成される場合には、縦巾木後部品５ｂの裏面（壁面側の面）および後端面間のコーナー部が蹴込板３の表面に当接することとなるが、その場合には、縦巾木後部品５ｂの表面および後端面間のコーナ部と、蹴込板３の表面との間の隙間が大きくなり、美観を損なうおそれがある。
【０１２３】
これに対し、本実施形態のように、縦巾木後部品５ｂの後端内側にコーナー欠如部５５ｂを形成しておくと、その欠如部５５ｂに蹴込板３の表面が配置されるようになり、縦巾木後部品５ｂの表面および後端面間のコーナー部と、蹴込板３の表面との間の隙間を小さくでき、良好な美観を得ることができる。
【０１２４】
また図１７に示すように廻り階段には、屋内壁面１に対する、蹴込板３の表面（段板２の先端面）の水平角度θ２が、鈍角となる場合がある。このような鋭角の入隅部においては、縦巾木後部品５ｂの表面（非壁面側の面）および後端面間のコーナ部が蹴込板３の表面に当接する。従って縦巾木後部品５ｂと蹴込板３の表面との間に隙間が形成されず、良好な美観を得ることができる。
【０１２５】
このように本実施形態の巾木４，５を、廻り階段に適用した場合であっても、入隅部に不用意な隙間が形成されることなく、良好な美観を確実に得ることができる。
【０１２６】
言うまでもなく本発明の巾木は、折り返し型の廻り階段にも、かね折れ型の廻り階段にも適用することができる。
【０１２７】
なお上記実施形態においては、縦巾木５に後部品５ｂの後端にコーナー欠如部５５ｂを形成するようにしているが、本発明においては、コーナー欠如部を必ずしも形成する必要はない。
【０１２８】
例えば図１８に示すように、縦巾木後部品５ｂの後端面を、表裏両側面に対し直角な面に形成するようにしても良い。この場合には、縦巾木後部品５ａの形状を、より一層シンプルに形成することができ、より一層簡単に製作することができる。
【０１２９】
さらに本実施形態においては図１９に示すように、縦巾木後部品５ｂの前端に、前端面と表面との間のコーナー部を欠如するような前側コーナー欠如部５６ｂを形成するようにしても良い。
【０１３０】
また上記実施形態においては、縦巾木後部品５ｂを屋内壁面１から離間させるようにしているが、それだけに限られず、縦巾木後部品５ｂを屋内壁面１に直接支持できるようにしても良い。例えば図２０に示すように、後巾木後部品５ｂの後端部裏面側に壁面側に突出する支持凸部５７ｂを形成しておき、その支持凸部５７ｂの先端を屋内壁面１に当接して支持するようにしても良い。この場合には、支持凸部５７ｂを屋内壁面１に固着手段によって直接固定することにより、縦巾木後部品５ｂをより一層安定した状態に固定することができる。
【０１３１】
また、上記実施形態においては、横巾木４および縦巾木前部品５ａの両端における切り口４１，４２，５１，５２を、巾木４および縦巾木前部品５ａの長さ方向に対し４５°の傾斜角度に形成しているが、この切り口の傾斜角度は必ずしも４５°に設定する必要はない。例えば、横巾木４と縦巾木前部品５ａとの巾サイズが異なるような場合には、その巾サイズに合わせて、各切り口の傾斜角度を４５°以外に設定して、横巾木４および縦巾木５ａの対応し合う切り口のサイズが等しくなるように調整すれば良い。
【０１３２】
さらに上記実施形態においては、横巾木４および縦巾木前部品５ａに形成される接続具取付溝４３，５３を各部材４，５ａの長さ方向全域にわたって形成するようにしているが、本発明においては、接続具取付溝を、少なくとも各部材４，５ａの端部のみに形成するようにすれば良い。
【０１３３】
さらに上記実施形態においては、接続具６を、タッピングビス６５によって屋内壁面に固定するようにしているが、それだけに限られず、本発明においては、ビス以外の固着手段によって、接続具を壁面に固定するようにしても良い。例えば釘、接着剤、両面テープ等の固着手段を用いて、固定するようにしても良い。
【０１３４】
また巾木４，５が壁面１に確実に固定される場合には、接続具６を必ずしも壁面１に固定する必要はない。逆に、接続具６が壁面１に確実に固定されている場合には、巾木４，５を必ずしも壁面１に固定する必要はない。
【０１３５】
また上記実施形態においては、接続具６の表面側における広範囲の領域に、座ぐり凹部６３を形成するようにしているが、それだけに限られず、接続具６の一部、つまりビス止め部だけに座ぐり凹部を形成するようにしても良い。
【０１３６】
また上記実施形態においては、接続具６を表面視Ｌ型に形成しているが、本発明において、接続具の形状は必ずしもＬ型に形成する必要はなく、対応する巾木の端部間を跨がることができるような形状であれば、どのような形状のものを用いても良い。
【産業上の利用可能性】
【０１３７】
この発明の階段用巾木は、一般住宅における屋内の木質製階段に適用可能である。
【符号の説明】
【０１３８】
１：屋内壁面（壁面）
２：段板
２７：見返し部
３：蹴込板
４：横巾木
４１：前端切り口
４２：後端切り口
４３：横巾木側接続具取付溝
５：縦巾木
５ａ：縦巾木前部品
５５ａ：後部切欠部
５１：上端切り口
５２：下端切り口
５３：縦巾木側接続具取付溝
５ｂ：縦巾木後部品
６：接続具
６１：嵌合部（一側部、他側部）
【図１】
2013130020.tif 000003
【図２】
2013130020.tif 000004
【図３】
2013130020.tif 000005
【図４】
2013130020.tif 000006
【図５】
2013130020.tif 000007
【図６】
2013130020.tif 000008
【図７】
2013130020.tif 000009
【図８】
2013130020.tif 000010
【図９】
2013130020.tif 000011
【図１０】
2013130020.tif 000012
【図１１】
2013130020.tif 000013
【図１２】
2013130020.tif 000014
【図１３】
2013130020.tif 000015
【図１４】
2013130020.tif 000016
【図１５】
2013130020.tif 000017
【図１６】
2013130020.tif 000018
【図１７】
2013130020.tif 000019
【図１８】
2013130020.tif 000020
【図１９】
2013130020.tif 000021
【図２０】
2013130020.tif 000022